(57)【要約】【課題】人々の気を惹き面白さを与えることのできる旗・広告などの標示物の演出装置を提供すること。【解決手段】地盤側から立ち上がる主柱パイプと、同パイプの上部より脇方向に伸びた連結腕パイプと、連結腕パイプに接続された出没用パイプとを有するとともに、前記パイプの中を経由して進退自在とされた線条材と、線条材を進退駆動させるための駆動手段とを備え、前記線条材に旗や広告などの標示物を取り付けて標示する状態と出没用パイプ内に納まった状態とを得ることができるようにした。【選択図】図３
2011028193.tif 000002
【特許請求の範囲】
【請求項１】
地盤側から立ち上がる主柱パイプと、同パイプの上部より脇方向に伸びた連結腕パイプと、連結腕パイプに接続された出没用パイプとを有するとともに、前記パイプの中を経由して進退自在とされた線条材と、線条材を進退駆動させるための駆動手段とを備え、前記線条材に旗や広告などの標示物を取り付けて標示する状態と出没用パイプ内に納まった状態とを得ることができるようにした旗・広告などの標示物の演出装置。
【発明の詳細な説明】
【技術分野】
【０００１】  本発明は、旗・広告などの標示物の演出装置に関する。
【背景技術】
【０００２】  国旗などの標示物を単にポールに付けてたなびかせるのでなくそれを循環駆動させて趣向性の高いものにしたものその他各種の演出装置が開示されている（例えば、特許文献１）。
【先行技術文献】
【特許文献】
【０００３】
【特許文献１】    特開２００１−５１６２８
【発明の概要】
【発明が解決しようとする課題】
【０００４】  上記特許文献１には様々な技術が開示されているが、人々の気を惹き面白さという面で今一つ欠けるところがある。【０００５】  本発明は、このような従来の方法が有していた問題を解決しようとするものであり、人々の気を惹き面白さを与えることのできる旗・広告などの標示物の演出装置を提供することを目的とする。
【課題を解決するための手段】
【０００６】  本発明は上記目的を達成するため、請求項１に記載の発明は、地盤側から立ち上がる主柱パイプと、同パイプの上部より脇方向に伸びた連結腕パイプと、連結腕パイプに接続された出没用パイプとを有するとともに、前記パイプの中を経由して進退自在とされた線条材と、線条材を進退駆動させるための駆動手段とを備え、前記線条材に旗や広告などの標示物を取り付けて標示する状態と出没用パイプ内に納まった状態とを得ることができるようにした。
【発明の効果】
【０００７】  上述したように本発明の旗・広告などの標示物の演出装置は、地盤側から立ち上がる主柱パイプと、同パイプの上部より脇方向に伸びた連結腕パイプと、連結腕パイプに接続された出没用パイプとを有するとともに、前記パイプの中を経由して進退自在とされた線条材と、線条材を進退駆動させるための駆動手段とを備え、前記線条材に旗や広告などの標示物を取り付けて標示する状態と出没用パイプ内に納まった状態とを得ることができるようにしたので、人々の気を惹き面白さを与えることのできる旗・広告などの標示物の演出装置を提供することができる。
【図面の簡単な説明】
【０００８】
【図１】  本発明の旗・広告などの標示物の演出装置の一実施形態を示す平面図。
【図２】  図１の正面図。
【図３】  図１のＡ−Ａ線断面図。
【図４】  他の実施形態を示す要部側面図。
【図５】  他の実施形態を示す平面図。
【図６】  他の実施形態を示す平面図。
【図７】  他の実施形態を示す正面図。
【図８】  他の実施形態を示す正面図。
【図９】  図８のＢ−Ｂ線断面図。
【図１０】  他の実施形態を示す要部拡大図。
【図１１】  他の実施形態を示す側断説明図。
【図１２】  他の実施形態を示す側断説明図。
【図１３】  他の実施形態を示す側断説明図。
【発明を実施するための形態】
【０００９】  以下、本発明の実施の一形態を図１〜図３に基づいて説明する。
【００１０】  これらの図において、１は座盤で金属板製であり地盤に適宜固定されて容易に倒れないようになっている。座盤１上の中央には、主柱パイプ２が同じく金属製として立設固定されている。この主柱パイプ２の下端側部には、左開口３と右開口４が空けられている。主柱パイプ２の上端左右両脇には連結腕パイプ５が水平一体化され、同連結腕パイプ５の先端には下向きに伸びるように出没用パイプ６が内通状に一体化されている。出没用パイプ６の下端部は収納を円滑にするため拡開部６ａとなっている。これらのパイプ２，５，６は互いに脱着可能に接続してもよい。７、８はモニュメント頭部である。
【００１１】  １０は駆動ケースで、正逆回転制御される駆動源１１を内装するとともにその出力軸には駆動プーリー１２が取り付けられている。１４はワイヤやチェーン（リンクチェーンも含む）、ロープ、ベルト（タイミングベルトを含む）などの無端状の線条材で、駆動用として設けられており、この線条材１４は、長さが少し異なる２本でなり、それぞれは座盤１や各パイプ２，５，６および駆動ケース１０内などに配備した複数の案内ホイール１３…を経由して駆動プーリー１２に掛けられて、駆動源１１が駆動されると左右の線条材１４，１４の出没用パイプ６から出ている部分は同じ方向に上下駆動されるようになっている。
【００１２】  その出没用パイプ６からそれぞれ出ている部分には、日本国旗、外国国旗、その他、広告用布地などの広い意味での標示物１５が止め付けられている。上の止着具１６は前記拡開部６ａにスムーズに戻されるように少し大きなボール状となっている。
尚、図３の１７はタイトナである。
また、図２の１８は降雨センサーで運転中での駆動停止を指示し、１９はタイマーで、標示物１５の出没用パイプ６内から最初に出る時間と最後に収納される時間およびその間になされる同パイプ６への出入りの進退動作などを設定するものである。
さらに、図１および図２のように、各パイプ２，５，６や駆動ケース１０上などを利用して面タイプあるいは巻き添えタイプとしてソーラーパネル１９…（配線は図示省略）を装備することができる。その場合のバッテリーや制御部など必要備品は駆動ケース１０に内装することができる。
また、図２の矢印Ｃのように、標示物１５を靡かせる風送り手段を構成することもできる。
さらに、図３に示すように、Ｗは主柱パイプ２の外周面と線条材１４との間隔を示すもので、この間隔Ｗは標示物１５の横幅よりも多少大きくされて標示物１５が主柱パイプ２に干渉しないようになっている。
また、連結腕パイプ５の下の空間を利用して標示物１５などを照らして浮き上がらせる照明具２１を取り付けてもよい。その配線は主柱パイプ２内を通す。
さらに、同じく同空間を利用して図３の左上欄のように内部照明２２による広告パネルケース２３を取り付けてもよい。
また、モニュメント７，８は、中央の大きいモニュメント７を光る太陽とし、小さいモニュメント８を地球として表現してもよい。この場合、内部に照明具２１を内装して表面を浮き上がらせるとより効果的である。
さらに、図３の左欄に示すように、線条材１４は巻取り・繰出し方式とし、その自由端末に錘２４を付けて巻取りと繰出しを安定に行うようにしてもよい。この錘方式によれば、線条材１４が短くなるだけでなく下回りの案内ホイール１３，１３やタイトナ１７などを省略して構造の簡略化が図れる。
また、図３の下欄に示すように、主柱パイプ２の左右から木の枝状をなして斜めパイプ２５，２５を突き出してその先端をパイプ６の下方に位置するようにして内部に案内ホイール１３…を適宜に配備することにより、線条材１４を図３のように真下に線条材１４を導くのでなく、斜めパイプ２５を通して導くように構成することができる。
【００１３】  図１ないし図３の演出装置は、図３右欄のように出没用パイプ６内に両標示物１５が収められた状態から、タイマー１９の設定により、例えば、朝方に駆動源１１が起動されて標示物１５が図３のように出されて演出される。そして、タイマー１９により同標示物１５は出没用パイプ６内から出入りを繰り返し靡いて演出をする。尚、図３の止着具１６は発光可能にしてもよい。同装置は、暗くなったときに特に趣向性を発揮するもので、照明具２１や止着具１６からの照明により標示物１５は浮き上がり靡きながら演出をする。タイマー１９はその夜間までの一連の動作を担う。
【００１４】  尚、図４に示すように、１本の主柱パイプ２に対して連結腕パイプ５および出没用パイプ６を１本にしてもよいし、図５に示すように、１本の主柱パイプ２に対し３本以上の出没用パイプ６を設けることもできる。
【００１５】  図６は他の実施形態を示す。同実施形態は、主柱パイプ２６の上窓口２７にローラー２８を備えてそれに線条材２９を巻き掛けて標示物３０を主柱パイプ２６内に収納可能にしたものである。
【００１６】  図７は他の実施形態を示す。同実施形態は、主柱パイプ３３の下部に収納ケース３４付き駆動ケース３５を備えておき、駆動源３６からローラー３７を介して循環配置した線条材３８に設けた標示物３９を前記収納ケース３４内に収納可能にしたものである。
【００１７】  図８および図９は、他の実施形態を示す。同実施形態は、主柱パイプ４１の上部まわりにストッパー４２を設けてその間にカラー４３を介して基盤４４を回転自在とし、この基盤４４の表裏に多数個のＬＥＤを配備して国旗や広告標示物としたものであり、基盤４４の表裏中央個所には、縁環４５を取り付けて、その内部に赤色ＬＥＤ４６…を、外部に白色ＬＥＤ４７…を配備することにより、縁環４５による両色の分離区成機能により白地の発光面の中に赤地の発光面が鮮明に浮き上がるようになっている。尚、図９の仮想線のように、外枠４８の内空間表裏にさらに鮮明さを増幅させる表輝パネル４９を設けることもできる。５０はソーラーパネルである。また、図１０のように、色の同じあるいは異なるＬＥＤ５２相互間を仕切り５３…により区成して輝きをそれぞれに鮮やかにするようにしてもよい。
【００１８】  図１１は、例えば、ビルの壁５５に下向きのエルボ状出没用パイプ５６を取り付けてその下端を拡開部５７とし、その出没用パイプ５６に線条材５８を通して錘５９付き標示物６０を出入り自在に駆動するようにした他の実施形態を示す。線条材５８はローラー６１に掛け回して端末をストッパー６２に結合するとともに、ローラー６１はガイドレール６３に沿って進退自在とし、その操作をレバー６４により行うようにしたものである。
尚、後退した際のローラー６１はピン６５でロックされる。
図１１の右下欄に示すように、ローラーを固定ローラー６６と可動ローラー６１とで構成して可動ローラー６１をレバー６４によりガイドレール６３に沿って進退させるようにすることでレバー６４の少ない動きで線条材５８を多く動かすことができるようにしてもよい。
【００１９】  図１２は壁６７に出没用パイプ６８を挿通して内部のシリンダ６９により旗棒７０を進退駆動自在とした他の実施形態を示すもので、７１は標示物である。
【００２０】  図１３は壁７３にＴ字形をしたガイドパイプ７４を取り付け、錘７５と標示物７６付きの線条材７７の中途をガイドパイプ７４の上端のガイドローラー７８を介して駆動部７９に巻き掛けて標示物７６を手動あるいは電動で出し入れ駆動させるようにしたものである。
【符号の説明】
【００２１】  ２…主柱パイプ  ５…連結腕パイプ  ６…出没用パイプ  １０…駆動ケース  １１…駆動源  １４…線条材  １５…標示物。
【図１】
2011028193.tif 000003
【図２】
2011028193.tif 000004
【図３】
2011028193.tif 000005
【図４】
2011028193.tif 000006
【図５】
2011028193.tif 000007
【図６】
2011028193.tif 000008
【図７】
2011028193.tif 000009
【図８】
2011028193.tif 000010
【図９】
2011028193.tif 000011
【図１０】
2011028193.tif 000012
【図１１】
2011028193.tif 000013
【図１２】
2011028193.tif 000014
【図１３】
2011028193.tif 000015